(57)【要約】【課題】投函物によって投入口が内側から塞がれた状態を解消し、郵便受け箱の収納スペースを十分に活用することができる郵便受け箱を提供すること。【解決手段】正面２１に投入口３が設けられている、中空で縦長な直方体状の郵便受け箱本体２と、この郵便受け箱本体２の内部に起立状態で配置される、前記郵便受け箱本体２の側面２４と略平行な整理板６と、前記郵便受け箱本体２の外側に配置され、前記郵便受け箱本体２の内部での前記整理板６の左右方向への往復移動を可能とする操作部７とを備えた郵便受け箱１とする。【選択図】図１
2012105886.tif 000002
【特許請求の範囲】
【請求項１】
正面に投入口が設けられている、中空で縦長な直方体状の郵便受け箱本体と、
この郵便受け箱本体の内部に起立状態で配置される、前記郵便受け箱本体の側面と略平行な整理板と、
前記郵便受け箱本体の外側に配置され、前記郵便受け箱本体の内部での前記整理板の左右方向への往復移動を可能とする操作部と
を備えることを特徴とする郵便受け箱。
【請求項２】
郵便受け箱本体の底面に、左右方向に延びるスリット部が設けられ、操作部は、整理板から前記スリット部を通じて前記郵便受け箱本体の外側に突出しているとともに前記スリット部内を摺動自在であり、前記整理板は、前記操作部の摺動に伴って、前記郵便受け箱本体の内部を左右に往復移動可能とされていることを特徴とする請求項１に記載の郵便受け箱。
【発明の詳細な説明】
【技術分野】
【０００１】
本発明は、郵便受け箱に関する。
【背景技術】
【０００２】
従来、図３（Ａ）の斜視図に例示したような縦長の直方体状の郵便受け箱１１が知られている。このような郵便受け箱１１には、正面１１aに縦長の投入口１２が設けられており、葉書、新聞等の投函物は、この投入口１２から郵便受け箱１１の内部へと投函される。
【０００３】
そして、このような郵便受け箱１１に投函された投函物は、通常、郵便受け箱１１の内部で立てられた状態で、側面１１ｂ同士の間で横方向に整列して収納される。
【０００４】
一方、特許文献１には、郵便物の収納に関する関連技術として、収納箱の内部に摺動片を設けることで、郵便物を横長に立てた状態で収納する郵便物収納箱が提案されている。特許文献１の郵便物収納箱は、上方が開放されており、郵便物収納箱の内部で摺動片を操作することで郵便物の整理を可能としている。
【先行技術文献】
【特許文献】
【０００５】
【特許文献１】実開昭63−82486号公報
【発明の概要】
【発明が解決しようとする課題】
【０００６】
しかしながら、図３（Ａ）に例示した郵便受け箱１１は、投函物が投函されると、図３（Ｂ）の断面概要図に例示したように、投函物Ｗが、郵便受け箱１１の内部で側面１１b側へ斜めに倒れ込んだ状態で重なってしまう場合がある。この場合、投入口１２（図３（Ｂ）においては図示していない）が、投函物Ｗによって内側から塞がれてしまうため、この状態のまま、更なる投函物Ｗを投入口１２から投函することは容易でないという問題があった。特に、強引に投函物Ｗを押し込んだりすると、投函物Ｗの破損を招く恐れがあり、また、投函物Ｗが郵便受け箱１１の投入口１２から外部にはみ出してしまうと、投函物Ｗが雨に濡れたり、盗難に遭う恐れがあった。また、投函物Ｗが郵便受け箱１１の側面１１b側へ倒れ込んだ状態にあっては、郵便受け箱１１本来の収納スペースが十分に活用されていないことも問題であった。
【０００７】
そして、投函物Ｗによって投入口１２が内側から塞がれるのを抑制するためには、投函物Ｗを郵便受け箱１１から頻繁に取り出す必要があるため、従来の郵便受け箱１１の使い勝手は必ずしも満足できるものではなかった。
【０００８】
そこで、例えば、上記特許文献１のように、郵便受け箱の内部を整理して収納スペースを確保することが考えられた。しかしながら、上記特許文献１の技術は、上方が開放された郵便収納箱の内部で所定の操作を行うことを前提とするものであるため、閉鎖された箱体として設置される縦長の郵便受け箱に応用することはできなかった。
【０００９】
本発明は、以上のとおりの事情に鑑みてなされたものであり、投函物によって投入口が内側から塞がれた状態を解消し、郵便受け箱の収納スペースを十分に活用することができる郵便受け箱を提供することを課題としている。
【課題を解決するための手段】
【００１０】
上記の課題を解決するために、本発明の郵便受け箱は、正面に投入口が設けられている、中空で縦長な直方体状の郵便受け箱本体と、この郵便受け箱本体の内部に起立状態で配置される、前記郵便受け箱本体の側面と略平行な整理板と、前記郵便受け箱本体の外側に配置され、前記郵便受け箱本体の内部での前記整理板の左右方向への往復移動を可能とする操作部とを備えることを特徴としている。
【００１１】
この郵便受け箱においては、郵便受け箱本体の底面に、左右方向に延びるスリット部が設けられ、操作部は、整理板から前記スリット部を通じて前記郵便受け箱本体の外側に突出しているとともに前記スリット部内を摺動自在であり、前記整理板は、前記操作部の摺動に伴って、前記郵便受け箱本体の内部を左右に往復移動可能とされていることが好ましい。
【発明の効果】
【００１２】
本発明の郵便受け箱によれば、投函物によって投入口が内側から塞がれた状態を解消することができ、郵便受け箱の収納スペースを十分に活用することができる。
【図面の簡単な説明】
【００１３】
【図１】本発明の郵便受け箱の一実施形態を例示した内部透視斜視図である。
【図２】（Ａ）（Ｂ）（Ｃ）本発明の郵便受け箱の内部での整理板の移動状態を例示した内部概要図である。
【図３】（Ａ）は、従来の郵便受け箱の形態を例示した斜視図であり、（Ｂ）は、従来の郵便受け箱の内部状態を例示した内部概要図である。
【発明を実施するための形態】
【００１４】
図１は、本発明の郵便受け箱の一実施形態を例示した内部透視斜視図である。
郵便受け箱１の郵便受け箱本体２は、正面２１に投入口３が設けられている、中空で縦長な直方体状に設計されている。
【００１５】
投入口３には、外部から郵便葉書、新聞、封筒、冊子等の投函物が投函される。投入口３は、郵便受け箱本体２の正面２１の中央に縦方向に長い長方形状に形成され、表側に配設されたフラップ４によって開閉自在に形成されている。
【００１６】
フラップ４は、投入口３の縦縁部において回動軸を介して前後方向に回動自在に支持されている。投函物を投函する際には、フラップ４は投函方向に押されることによって郵便受け箱１の内側へ向かって回動して投入口３を開ける。一方、投函物の投入が終了すると、フラップ４は、郵便受け箱１の外側へ回動して投入口３を閉鎖する。
【００１７】
郵便受け箱本体２の正面２１または背面２２は、扉式に開閉自在とされており、投函物を前側（正面２１側）または後ろ側（背面２２側）から取り出すことが可能とされている。
【００１８】
郵便受け箱本体２の底面２３には、左右方向に延びるスリット部５が設けられている。具体的には、スリット部５は、郵便受け箱本体２の底面２３の奥行き方向の略中央において、左右の側面２４同士の間に亘って所定の幅で開口している。
【００１９】
郵便受け箱本体２の内部には、郵便受け箱本体２の側面２４と略平行な整理板６が起立状態で配置されている。整理板６は、外形が矩形状に設計され、整理板６の縦方向長さは、郵便受け箱本体２の縦長さよりもやや短く、また、整理板６の横長さは、郵便受け箱本体２の奥行き方向長さよりもやや短く設計されている。また、整理板６は、郵便受け箱１の横幅方向に所定の厚さを有しており、郵便受け箱本体２の内部で転倒しないように設計されている。
【００２０】
郵便受け箱本体２の外側には操作部７が設けられている。具体的には、操作部７は、整理板６からスリット部５を通じて郵便受け箱本体２の下方外側に所定の長さで突出している。操作部７の整理板６との結合部付近の幅は、スリット部５の幅と略等しく設計され、この結合部付近がスリット部５の内部を摺動自在に設計されている。したがって、例えば、操作部７を手で把持して操作することで、郵便受け箱１の下方において郵便受け箱１の左右方向に摺動させることができる。操作部７の形状は、スリット部５内で円滑に摺動可能な形状、大きさ等に適宜設計することができる。
【００２１】
そして、郵便受け箱１の内部に配置された整理板６は、スリット部５内での操作部７の摺動に伴って、郵便受け箱本体２の内部（側面２４同士の間）を左右に往復移動可能とされている。整理板６は、この往復移動の際にも、郵便受け箱本体２の側面２４と略平行な起立状態が維持されるように設計されている。
【００２２】
図２は、本発明の郵便受け箱の内部での整理板の移動状態を例示した内部概要図である。
【００２３】
図２（Ａ）においては、郵便受け箱本体２の内部の整理板６は、郵便受け箱本体２の一方の側面２４側（図中右側）へ寄せられて配置されている。整理板６の下端からは、郵便受け箱本体２の外側に操作部７が突出している。
【００２４】
そして、郵便受け箱本体２の内部に複数の投函物Ｗが投函され、投函物Ｗが重なった状態で、郵便受け箱本体２の側面２４側（図中右側）へ斜めに倒れ込んでいる。したがって、郵便受け箱本体２の内部にはほとんど収納スペースがなく、投入口３（図２において図示していない）は内側から塞がれた状態となっている。このため、図２（Ａ）に例示した状態においては、更なる投函物Ｗを投入口３から投函することは容易ではない。
【００２５】
そこで、図２（Ｂ）に例示したように、郵便受け箱本体２の外側の操作部７を手で把持し、郵便受け箱本体２の底面２３に設けられたスリット部５に沿って、矢印方向に反対の側面２４側（図中左側）へ摺動させる。これによって、郵便受け箱本体２の内部の整理板６も反対の側面２４側（図中左側）へ移動するため、これに伴って、郵便受け箱本体２の内部で倒れ込んでいた投函物Ｗが反対の側面２４側（図中左側）へ寄せられていく。そして、投函物Ｗを、側面２４（図中左側）と整理板６とによって挟むことによって、起立した状態で整列させることができる。
【００２６】
そして、図２（Ｃ）に例示したように、再び操作部７および整理板６を矢印方向に初期の位置（図中右側）へ戻すと、郵便受け箱本体２の内部には、整列した投函物Ｗと整理板６との間に空間Ｓが形成される。したがって、図２（Ａ）に例示したような投入口３が内側から塞がれた状態を解消することができ、この空間Ｓを新たな収納スペースとして、投入口３から更に投函物Ｗを投函することができる。このため、郵便受け箱本体２の内部の収納スペースを十分に活用することができる。
【００２７】
本発明の郵便受け箱は、以上の実施形態に限定されるものではない。例えば、整理板は、平板状の他、メッシュ状等の形態とすることができる。また、操作部と整理板とは、一体に形成されていてもよいし、別体として各種方法で連結されていてもよい。さらに、スリット部の配設位置、形状等も正面や底面前端部に設ける等適宜設計することができる。また、例えば、操作部の摺動を円滑に実現するために、スリット部に沿ってガイド部材等を配設することもできる。
【００２８】
この郵便受け箱の設置形式も特に限定されず、例えば、壁面に埋め込むタイプや、住宅のエントランスポールに取り付けるタイプ、壁面に掛けて取り付けるタイプ等を適宜選択することができる。
【符号の説明】
【００２９】
１      郵便受け箱
２      郵便受け箱本体
２１  正面
２３  底面
２４  側面
３      投入口
５      スリット部
６      整理板
７      操作部
【図１】
2012105886.tif 000003
【図２】
2012105886.tif 000004
【図３】
2012105886.tif 000005